(57)【要約】【課題】顔画像の再利用を容易にできる発行装置等を提供する。【解決手段】発行装置２は、ユーザにIDカード等の媒体を発行するものである。発行装置２は、ユーザの顔画像を含む媒体を発行する発行部１０１と、媒体を発行したユーザの顔画像の記録要求をサーバ３に送信する記録要求部１０２と、ユーザに新たな媒体を発行する際、ユーザの認証用顔画像を取得する取得部１０３と、を有する。発行部１０１は、取得部１０３で取得した認証用顔画像とサーバ３に記録された顔画像が一致する場合、サーバ３に記録された顔画像を含む新たな媒体を発行する。【選択図】図６
2020038441.tif 000002
【特許請求の範囲】
【請求項１】
ユーザに媒体を発行する発行装置であって、
ユーザの第１の生体情報を含む媒体を発行する発行部と、
媒体を発行したユーザの前記第１の生体情報の記録要求をサーバに送信する記録要求部と、
ユーザに新たな媒体を発行する際、ユーザの第２の生体情報を取得する取得部と、
を有し、
前記発行部は、前記第１、第２の生体情報が一致する場合、前記第１の生体情報を含む新たな媒体を発行することを特徴とする発行装置。
【請求項２】
前記第１、第２の生体情報は顔画像であることを特徴とする請求項１記載の発行装置。
【請求項３】
証明写真機であることを特徴とする請求項２に記載の発行装置。
【請求項４】
前記第１、第２の生体情報が一致する場合、前記第１の生体情報を利用するか否かを選択するための選択画面を表示する表示部をさらに有することを特徴とする請求項１から請求項３のいずれかに記載の発行装置。
【請求項５】
発行装置によって第１の生体情報を含む媒体を発行したユーザの前記第１の生体情報を記憶する発行データ記憶部と、
ユーザに新たな媒体を発行する際に、ユーザの第２の生体情報を前記発行装置から受信する受信部と、
前記第１、第２の生体情報が一致する場合、前記第１の生体情報を含む新たな媒体を前記発行装置で発行すべく、前記第１の生体情報を前記発行装置に送信する送信部と、
を有することを特徴とするサーバ。
【請求項６】
ユーザに媒体を発行する発行装置と、サーバとを有する発行システムであって、
前記発行装置は、
ユーザの第１の生体情報を含む媒体を発行する発行部と、
媒体を発行したユーザの前記第１の生体情報の記録要求を前記サーバに送信する記録要求部と、
ユーザに新たな媒体を発行する際、ユーザの第２の生体情報を取得する取得部と、
を有し、
前記発行部は、前記第１、第２の生体情報が一致する場合、前記第１の生体情報を含む新たな媒体を発行することを特徴とする発行システム。
【請求項７】
発行装置が、
ユーザの第１の生体情報を含む媒体を発行するステップと、
媒体を発行したユーザの前記第１の生体情報の記録要求をサーバに送信するステップと、
ユーザに新たな媒体を発行する際、ユーザの第２の生体情報を取得するステップと、
前記第１、第２の生体情報が一致する場合、前記第１の生体情報を含む新たな媒体を発行するステップと、
を実行することを特徴とする発行方法。
【請求項８】
コンピュータを、
発行装置によって第１の生体情報を含む媒体を発行したユーザの前記第１の生体情報を記憶する発行データ記憶部と、
ユーザに新たな媒体を発行する際に、ユーザの第２の生体情報を前記発行装置から受信する受信部と、
前記第１、第２の生体情報が一致する場合、前記第１の生体情報を含む新たな媒体を前記発行装置で発行すべく、前記第１の生体情報を前記発行装置に送信する送信部と、
を有するサーバとして機能させるためのプログラム。
【発明の詳細な説明】
【技術分野】
【０００１】
本発明は、IDカード等の媒体の発行を行う発行装置等に関する。
【背景技術】
【０００２】
従来、顔画像付きのIDカードを発行するには、ユーザが発行者に申請情報と顔画像を送り、発行者が申請情報と顔画像に基づいてIDカードの発行用データを制作した後、IDカードを印刷してユーザに郵送する。
【０００３】
特許文献１には、ユーザ端末からユーザの個人データ等をサーバに送信し、証明写真機で撮影したユーザの顔写真データを証明写真機からサーバに送信することで、これらのデータを用いて受験票が印刷され、ユーザに郵送されることが記載されている。
【先行技術文献】
【特許文献】
【０００４】
【特許文献１】特開2015-069307号公報
【発明の概要】
【発明が解決しようとする課題】
【０００５】
ところで、ユーザにはIDカードに利用した顔画像を別の媒体の発行時にも利用することで、顔画像の撮影の手間を軽減したい、気に入った顔画像を再利用したい、といったニーズがある。現行のシステムは、そのようなニーズに対応していないか、または顔画像の再利用が可能であっても再利用時にコードの入力や読取を必要とし、ユーザにとっては面倒であり、またコードを忘却したり紛失したりすると再利用ができなかった。
【０００６】
本発明は上記の問題に鑑みてなされたものであり、顔画像等の生体情報の再利用を容易にできる発行装置等を提供することを目的とする。
【課題を解決するための手段】
【０００７】
前述した課題を解決するための第１の発明は、ユーザに媒体を発行する発行装置であって、ユーザの第１の生体情報を含む媒体を発行する発行部と、媒体を発行したユーザの前記第１の生体情報の記録要求をサーバに送信する記録要求部と、ユーザに新たな媒体を発行する際、ユーザの第２の生体情報を取得する取得部と、を有し、前記発行部は、前記第１、第２の生体情報が一致する場合、前記第１の生体情報を含む新たな媒体を発行することを特徴とする発行装置である。
【０００８】
本発明では、発行装置によってユーザの顔画像等の生体情報（第２の生体情報）を認証用に取得するだけで、生体認証を経て、以前の媒体発行時にサーバに記録したユーザの生体情報（第１の生体情報）を再利用した新たな媒体を容易に発行することができる。本発明では生体情報の再利用に際しコードの入力等が不要なので、ユーザの負担が軽減される。
【０００９】
前記第１、第２の生体情報は例えば顔画像であり、前記発行装置は例えば証明写真機である。
生体情報としては顔画像を用いることができ、街頭などに設置された証明写真機でこれを容易に取得することができる。
【００１０】
また、前記第１、第２の生体情報が一致する場合、前記第１の生体情報を利用するか否かを選択するための選択画面を表示する表示部をさらに有することも望ましい。
本発明では、上記の選択画面を表示することで、以前の生体情報を再利用するか否かをユーザが選択できるようになる。
【００１１】
第２の発明は、発行装置によって第１の生体情報を含む媒体を発行したユーザの前記第１の生体情報を記憶する発行データ記憶部と、ユーザに新たな媒体を発行する際に、ユーザの第２の生体情報を前記発行装置から受信する受信部と、前記第１、第２の生体情報が一致する場合、前記第１の生体情報を含む新たな媒体を前記発行装置で発行すべく、前記第１の生体情報を前記発行装置に送信する送信部と、を有することを特徴とするサーバである。
第２の発明は、第１の発明の発行装置と通信可能に接続されるサーバである。当該サーバでは、ユーザに新たな媒体を発行する際に、生体認証を経てユーザの以前の生体情報を発行装置に送信する。
【００１２】
第３の発明は、ユーザに媒体を発行する発行装置と、サーバとを有する発行システムであって、前記発行装置は、ユーザの第１の生体情報を含む媒体を発行する発行部と、媒体を発行したユーザの前記第１の生体情報の記録要求を前記サーバに送信する記録要求部と、ユーザに新たな媒体を発行する際、ユーザの第２の生体情報を取得する取得部と、を有し、前記発行部は、前記第１、第２の生体情報が一致する場合、前記第１の生体情報を含む新たな媒体を発行することを特徴とする発行システムである。
第３の発明は、第１の発明の発行装置とサーバによる発行システムである。
【００１３】
第４の発明は、発行装置が、ユーザの第１の生体情報を含む媒体を発行するステップと、媒体を発行したユーザの前記第１の生体情報の記録要求をサーバに送信するステップと、ユーザに新たな媒体を発行する際、ユーザの第２の生体情報を取得するステップと、前記第１、第２の生体情報が一致する場合、前記第１の生体情報を含む新たな媒体を発行するステップと、を実行することを特徴とする発行方法である。
第４の発明は、第１の発明の発行装置による媒体の発行方法である。
【００１４】
第５の発明は、コンピュータを、発行装置によって第１の生体情報を含む媒体を発行したユーザの前記第１の生体情報を記憶する発行データ記憶部と、ユーザに新たな媒体を発行する際に、ユーザの第２の生体情報を前記発行装置から受信する受信部と、前記第１、第２の生体情報が一致する場合、前記第１の生体情報を含む新たな媒体を前記発行装置で発行すべく、前記第１の生体情報を前記発行装置に送信する送信部と、を有するサーバとして機能させるためのプログラムである。
第５の発明は、コンピュータを第２の発明のサーバとして機能させるためのプログラムである。
【発明の効果】
【００１５】
本発明により、顔画像等の生体情報の再利用を容易にできる発行装置等を提供することができる。
【図面の簡単な説明】
【００１６】
【図１】発行システム１を示す図。
【図２】発行装置２の外観を示す図。
【図３】発行装置２のシステム構成を示す図。
【図４】制御装置２０のハードウェア構成を示す図。
【図５】サーバ３のハードウェア構成を示す図。
【図６】発行システム１の機能構成を示す図。
【図７】発行データ１００の例。
【図８】媒体の発行の手順を示すフローチャート。
【図９】表示部２１の画面の例。
【図１０】IDカード１０の例。
【図１１】チケット１１の例。
【発明を実施するための形態】
【００１７】
以下、図面に基づいて本発明の好適な実施形態について詳細に説明する。
【００１８】
（１．発行システム１）
図１は本発明の実施形態に係る発行システム１を示す図である。発行システム１は発行装置２、サーバ３等を有し、ユーザの申請に係るIDカード等の媒体をユーザに発行する。
【００１９】
発行装置２はユーザが自身の撮影を行う写真撮影装置としての機能も有し、例えば街頭に設置された証明写真機である。発行装置２はユーザを撮影してその画像を証明写真としてプリントする（証明写真サービス）のに加え、IDカード等の媒体の発行を行う。
【００２０】
図２は発行装置２の外観を示す図であり、図３は発行装置２のシステム構成を示す図である。
【００２１】
発行装置２はボックス状の外観を有し、制御装置２０、表示部２１、課金部２２、撮影部２３、照明２４、プリンタ２５、プリント物取出口２６、読取部２７、カーテン２８、センサ２９等を有する。
【００２２】
制御装置２０は発行装置２の内部に設けられ、発行装置２の処理全体を制御する。
【００２３】
図４は制御装置２０のハードウェア構成を示す図である。図４に示すように、制御装置２０は、例えば制御部２０１、記憶部２０２、入力部２０３、通信部２０４等をバス等により接続して構成したコンピュータにより実現できる。但しこれに限ることなく、適宜様々な構成をとることができる。
【００２４】
制御部２０１はCPU、ROM、RAMなどから構成される。CPUは、記憶部２０２、ROMなどの記憶媒体に格納された制御装置２０の処理に係るプログラムをRAM上のワークエリアに呼び出して実行し、発行装置２の各部を制御して後述する処理を実現する。ROMは不揮発性メモリであり、ブートプログラムやBIOSなどのプログラム、データなどを恒久的に保持している。RAMは揮発性メモリであり、記憶部２０２、ROMなどからロードしたプログラムやデータを一時的に保持するとともに、制御部２０１が各種処理を行うために使用するワークエリアを備える。
【００２５】
記憶部２０２はハードディスクドライブやソリッドステートドライブ、フラッシュメモリ等であり、後述する処理に際し制御装置２０が実行するプログラム、プログラム実行に必要なデータ、OS（オペレーションシステム）等が格納される。これらのプログラムやデータは、制御部２０１により必要に応じて読み出され実行される。
【００２６】
入力部２０３は制御装置２０に各種の設定入力を行うものである。
通信部２０４はネットワーク等を介した通信を媒介する通信インタフェースであり、サーバ３等との間で通信を行う。
【００２７】
図２、３の説明に戻る。表示部２１は、発行装置２の入力部を兼ねたタッチパネル付ディスプレイ等により実現される。表示部２１は、ユーザの操作、選択に係る各種の画面を表示し、画面上のタッチパネル操作によるユーザの指示入力等を受付ける。
【００２８】
課金部２２は、硬貨や紙幣の投入口、つり銭返却口、レシート取出口、レシートプリンタ等（不図示）を備え、ユーザからの課金やレシートの発行を管理する。
【００２９】
撮影部２３は、撮影窓の内側にカメラ等を設けたものである。カメラには例えば高解像度のデジタルカメラが用いられるが、これに限ることはない。
【００３０】
照明２４は、発行装置２のボックス内の全体を照らす照明である。照明２４は例えば白色の光を照射する面光源であり、撮影部２３の上部に設けられるが、これに限ることはない。なお、発行装置２のボックス内には撮影時のフラッシュ用にストロボ光源も設けられる。
【００３１】
プリンタ２５は、画像を用紙にプリントするものであり、発行装置２の内部に設けられる。画像をプリントしたプリント物はプリント物取出口２６に排出される。プリンタ２５の方式や設置台数等は特に問わない。
【００３２】
読取部２７は、読取用のイメージスキャナ等を有する。
カーテン２８は、発行装置２のボックス内を外部から遮るものである。
センサ２９は、発行装置２のボックス内に入ったユーザを検知するセンサである。センサ２９は例えば赤外線センサであるが、これに限ることはない。
【００３３】
サーバ３は、IDカード等の媒体の発行者のサーバであり、発行装置２とネットワークを介して通信可能に接続される。サーバ３は、媒体の発行データを記憶し、媒体発行に係る各種の処理を行う。発行データについては後述する。
【００３４】
図５はサーバ３のハードウェア構成を示す図である。図５に示すように、サーバ３は、例えば制御部３１、記憶部３２、表示部３３、入力部３４、及び通信部３５等をバス等により接続して構成したコンピュータにより実現できる。但し、これに限ることなく、適宜様々な構成をとることができる。
【００３５】
制御部３１、記憶部３２、入力部３４、通信部３５の機能は上述した制御部２０１、記憶部２０２、入力部２０３、通信部２０４と略同様である。表示部３３は液晶パネル等のディスプレイ装置を備える。入力部３４はキーボード、マウス等のポインティングデバイス、テンキー等の入力装置を有し、記憶部３２には後述する処理をサーバ３に実行させるためのプログラムが格納される。
【００３６】
図６は発行システム１の機能構成を示す図である。図６に示すように、発行システム１は、発行部１０１、記録要求部１０２、取得部１０３、表示部１０４、発行データ記憶部１０５、受信部１０６、送信部１０７等を有する。
【００３７】
発行部１０１は、発行装置２が、ユーザの顔画像（第１の生体情報）を含むIDカード等の媒体をプリンタ２５によって印刷し発行するものである。
【００３８】
記録要求部１０２は、発行装置２が、媒体を発行したユーザの顔画像の記録要求を通信部２０４を介してサーバ３に送信し、当該顔画像を発行データとしてサーバ３に記録するものである。
【００３９】
取得部１０３は、発行装置２が、ユーザに新たな媒体を発行する際、撮影部２３によってユーザの顔画像を撮影し取得するものである。この顔画像は後述するように生体認証に用いられるものであり、媒体に印刷される顔画像と区別するため、以下の説明では特に「認証用顔画像」（第２の生体情報）というものとする。
【００４０】
表示部１０４は、取得部１０３で取得した認証用顔画像とサーバ３に記録された顔画像が一致する場合、発行装置２が、サーバ３に記録された顔画像を利用するか否かを選択するための選択画面を表示部２１に表示するものである。
【００４１】
発行データ記憶部１０５は、サーバ３が、発行装置２で媒体を発行したユーザの顔画像を発行データとして記憶部３２に記憶するものである。
【００４２】
受信部１０６は、ユーザに新たな媒体を発行する際、サーバ３が当該ユーザの認証用顔画像を通信部３５を介して発行装置２から受信するものである。
【００４３】
送信部１０７は、受信部１０６で受信した認証用顔画像と発行データ記憶部１０５で記憶された顔画像が一致する場合、サーバ３が、発行データ記憶部１０５で記憶された顔画像を通信部３５を介して発行装置２に送信するものである。
【００４４】
図７は発行データ１００の例である。発行データ１００は、例えばユニークID１１０、申請情報１２０、顔画像１３０、特徴量１４０等を紐付けてサーバ３の記憶部３２に記憶したものである。
【００４５】
ユニークID１１０は、IDカード等の媒体を一意に識別する識別情報である。
【００４６】
申請情報１２０は、媒体の発行を行うためにユーザが入力する申請用のテキスト情報であり、ユーザの個人情報などを含む。
【００４７】
顔画像１３０はユーザの顔画像であり、媒体の発行時に発行装置２で撮影されたものである。
【００４８】
特徴量１４０は、上記顔画像１３０から算出された特徴量である。特徴量としては顔画像１３０に関する既知のパラメータを用いることができ、その値を既知の方法で算出できる。
【００４９】
（２．発行システム１の処理）
次に、発行システム１の処理について説明する。本実施形態の発行システム１では、IDカードやチケット等の複数の顔画像付き媒体の発行を同じ顔画像を利用して行うことができ、以下ではそれぞれの手順について説明する。
【００５０】
（２−１．IDカードの発行）
図８は、ユーザが媒体を発行する際の手順を示すフローチャートであり、図８のＳ１０１〜Ｓ１０２、Ｓ１０７〜Ｓ１０９、Ｓ１１１〜Ｓ１１５は発行装置２の制御装置２０が実行する。その他の処理はサーバ３の制御部３１が実行する。
【００５１】
本実施形態では、ユーザが上記の媒体として初回にIDカードを発行するものとし、ここではまずIDカードの発行の手順について説明する。IDカードはユーザの本人確認が可能なカードであり、例えば社員証、学生証、運転免許証、マイナンバーカード、在留カード、受験票などであるが、これに限定されない。
【００５２】
IDカードを発行するユーザは、街頭の発行装置２へと向かい、発行装置２のボックス内に入る。発行装置２は、センサ２９によってユーザを検知すると表示部２１にトップ画面を表示させる。
【００５３】
図９（ａ）は表示部２１のトップ画面の例である。本実施形態ではトップ画面でサービスの選択を行うことができ、証明写真サービスを始めとした各種のサービスがボタン２１１によって選択可能に表示される。IDカードやチケット等の媒体の発行はそのサービスの一つであり、ここでは表示部２１のタッチパネル操作によりIDカードの発行を行うためのボタン２１１をユーザが選択するものとする。
【００５４】
IDカードの発行が選択されると、発行装置２は撮影部２３によってユーザの認証用顔画像を撮影して取得し（Ｓ１０１）、当該認証用顔画像をサーバ３に送信する（Ｓ１０２）。なお、この撮影はガイダンス等を出さずに行っており、ユーザに意識されることはない。
【００５５】
サーバ３は、認証用顔画像を受信する（Ｓ１０３）と、その認証用顔画像と一致する顔画像１３０が存在するか否かを判定する（生体認証）。この判定は特徴量によって行い、Ｓ１０３で受信した認証用顔画像の特徴量を算出（Ｓ１０４）した後、発行データ１００を検索して当該特徴量と一致する特徴量１４０を有する顔画像１３０が存在するか否かを判定する（Ｓ１０５）。
【００５６】
ここではユーザが初回に媒体（IDカード）を発行するので、当該特徴量と一致する特徴量１４０を有する顔画像１３０は未だ存在していない状態である（Ｓ１０５；ＮＯ）。この場合、サーバ３は、顔画像１３０が存在しない旨を発行装置２に送信する（Ｓ１１０）。
【００５７】
発行装置２はこれを受信すると（Ｓ１１１）、ユーザの顔画像を撮影するためのガイダンスを表示部２１に表示し、ユーザの顔画像を撮影する（Ｓ１１２）。
【００５８】
発行装置２は、ユーザの顔画像を撮影した後、表示部２１に申請情報１２０の入力画面を表示する。図９（ｂ）は表示部２１に表示される申請情報１２０の入力画面の例であり、ユーザは、申請情報１２０として氏名、年齢、性別、住所などの個人情報をそれぞれの入力領域２１２に入力する。
【００５９】
発行装置２は申請情報１２０の入力を受付ける（Ｓ１１３）と、ユーザから課金を受付けた後、IDカード（媒体）の発行を行う（Ｓ１１４）。
【００６０】
図１０（ａ）はIDカード１０の例である。本実施形態では、Ｓ１１２でユーザを撮影して得た顔画像１３０、ユーザの氏名２１０、テキストや画像を含むテンプレート等をプリンタ２５によって紙に印刷出力してIDカード１０を発行する。ユーザの氏名２１０はＳ１１３で申請情報１２０として入力されたテキスト情報である。
【００６１】
なお、IDカード１０は紙に印刷するものに限らない。例えば図１０（ｂ）に示すように、IDカード１０と同じデータをデジタルID証（電子媒体）１０’としてユーザの携帯端末８にデータ出力し、携帯端末８で表示されるようにしてもよい。
【００６２】
その後、発行装置２はサーバ３に申請情報１２０と顔画像１３０の記録要求を送信する（Ｓ１１５）。この記録要求には申請情報１２０と顔画像１３０が含まれる。
【００６３】
サーバ３は、申請情報１２０と顔画像１３０を含む記録要求を受信する（Ｓ１１６）と、顔画像１３０からその特徴量１４０を算出し（Ｓ１１７）、発行データ１００を新たに作成する（Ｓ１１８）。この時、サーバ３はユニークID１１０を新たに生成し、ユニークID１１０と申請情報１２０、顔画像１３０、特徴量１４０を紐付けて発行データ１００として記録する。
【００６４】
本実施形態では、以上の処理によりユーザにIDカード１０が発行され、サーバ３はそのIDカード１０の発行データ１００を記憶部３２に記憶する。
【００６５】
（２−２．チケットの発行）
ユーザは、上記の手順でサーバ３の記憶部３２に記憶した顔画像１３０を、新たな媒体の発行時に再利用することができる。ここでは、上記新たな媒体としてイベントのチケットを発行するものとし、以下チケット発行の手順について説明する。
【００６６】
チケット発行の手順も、最初は図８で説明したものと同様であり、図９（ａ）のトップ画面にてチケット１１の発行を行うためのボタン２１１を選択した後、図８のＳ１０１でユーザの認証用顔画像を撮影し、Ｓ１０２〜Ｓ１０４の処理が行われる。
【００６７】
ただし、ユーザは既に顔画像１３０を撮影してIDカード１０を発行し、その発行データ１００をサーバ３に記録しているので、Ｓ１０５の判定では、発行データ１００を検索することにより、認証用顔画像の特徴量と一致する特徴量１４０を有する顔画像１３０が存在すると判定される（Ｓ１０５；ＹＥＳ）。
【００６８】
この場合、サーバ３は、当該顔画像１３０を発行装置２に送信する（Ｓ１０６）。発行装置２は、顔画像１３０を受信すると（Ｓ１０７）、顔画像１３０を再利用する否かを選択するための選択画面を表示部２１に表示させる（Ｓ１０８）。
【００６９】
図９（ｃ）はこの選択画面の例であり、Ｓ１０７で受信した顔画像１３０と、顔画像１３０を再利用することを選択するための「はい」ボタン２１３、顔画像１３０を再利用しないことを選択するための「いいえ」ボタン２１４が表示される。
【００７０】
ユーザが「いいえ」ボタン２１４を選択した場合（Ｓ１０９；ＮＯ）、発行装置２は前記したＳ１１２以降の処理によりユーザの顔画像を撮影して当該顔画像を含むチケットをユーザに発行する。
【００７１】
一方、ユーザが「はい」ボタン２１３を選択した場合（Ｓ１０９；ＹＥＳ）、発行装置２は、ユーザの顔画像を撮影する代わりに、Ｓ１０７で受信した顔画像１３０を用い、前記したＳ１１３以降の処理により顔画像１３０を含むチケットをユーザに発行する。
【００７２】
図１１（ａ）はこのチケット１１の例であり、本実施形態では、Ｓ１０７で受信した顔画像１３０、ユーザの氏名２３０、テキストや画像を含むテンプレート等をプリンタ２５によって紙に印刷出力してチケット１１を発行する。ユーザの氏名２３０はＳ１１３で申請情報１２０として入力されたテキスト情報である。
【００７３】
IDカード１０の場合と同様、図１１（ｂ）に示すようにチケット１１と同じデータをデジタルチケット（電子媒体）１１’としてユーザの携帯端末８にデータ出力し、携帯端末８で表示されるようにしてもよい。
【００７４】
以上説明したように、本実施形態では、発行装置２によってユーザの認証用顔画像を取得するだけで、生体認証を経て、以前のIDカード１０の発行時にサーバ３に記録したユーザの顔画像１３０を再利用したチケット１１を容易に発行することができる。例えば、出先で急にチケット１１が必要になったが撮影にふさわしくない髪や服装だった場合に、以前の顔画像１３０を利用したチケット１１を即時に発行できる。
【００７５】
また本実施形態では顔画像１３０の再利用に際しコードの入力や読取が不要なので、ユーザの負担が軽減され、コードを忘却、紛失してしまったときでも顔画像１３０の再利用ができる。
【００７６】
また本実施形態の発行装置２は証明写真機であり、街頭などに設置された証明写真機で容易に顔画像１３０を取得できる。
【００７７】
また本実施形態では、前記した図９（ｃ）の選択画面を表示することで、以前の顔画像１３０を再利用するか否かをユーザが選択できるようになる。実際には顔画像１３０を再利用しない場合も、ユーザは再利用できる顔画像１３０があることを選択画面によって少なくとも確認できる。
【００７８】
しかしながら、本発明は上記の実施形態に限らない。例えば本実施形態では前記のＳ１０１（図８参照）で撮影して得た認証用顔画像を発行装置２からサーバ３へ送信し、サーバ３側で認証用顔画像から特徴量を算出して特徴量の比較による生体認証を行ったが、Ｓ１０１で撮影した認証用顔画像の特徴量を発行装置２側で算出してサーバ３に送信し、サーバ３側では特徴量の比較のみ実行して生体認証を行うようにしてもよい。
【００７９】
また本実施形態ではユーザにガイダンス等を行うことなくＳ１０１で認証用顔画像の撮影を行っているが、例えば顔画像の再利用を行うか否かを選択する画面を最初に表示させ、顔画像の再利用を行うことをユーザが選択した場合にガイダンスを出してＳ１０１における認証用顔画像の撮影を行ってもよい。
【００８０】
また本実施形態では生体情報として顔画像を用いたが、生体情報として指紋画像や静脈画像、虹彩画像を用いることも可能である。生体情報の取得に関しては、指紋や静脈、虹彩の読取を行う読取装置を発行装置２に設けておけばよい。また複数種類の生体情報を用い、多要素認証を行えるようにしてもよい。
【００８１】
また、本実施形態ではIDカード１０やチケット１１の発行を行っているが、発行する媒体はこれに限らない。例えば各種の受付票や証明写真などであってもよいし、通行証やADカード（アクレディケーションカード）などであってもよい。これらの媒体もIDカード１０やチケット１１と同様、紙にプリントして発行してもよいし、電子媒体として発行してもよい。
【００８２】
また、本実施形態では発行装置２として証明写真機を用いたが、これに限らず、生体情報を取得でき、IDカード等の媒体の発行が可能であればよい。例えばスマートフォンなどの携帯端末を用いることも可能である。
【００８３】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００８４】
１：発行システム
２：発行装置
３：サーバ
８：携帯端末
１０：IDカード
１１：チケット
１００：発行データ
１０１：発行部
１０２：記録要求部
１０３：取得部
１０４：表示部
１０５：発行データ記憶部
１０６：受信部
１０７：送信部
１１０：ユニークID
１２０：申請情報
１３０：顔画像
１４０：特徴量
【図１】
2020038441.tif 000003
【図２】
2020038441.tif 000004
【図３】
2020038441.tif 000005
【図４】
2020038441.tif 000006
【図５】
2020038441.tif 000007
【図６】
2020038441.tif 000008
【図７】
2020038441.tif 000009
【図８】
2020038441.tif 000010
【図９】
2020038441.tif 000011
【図１０】
2020038441.tif 000012
【図１１】
2020038441.tif 000013